(57)【要約】【課題】光源ランプの速やかな再点灯および長寿命化を実現できるプロジェクタを提供すること。【解決手段】電源オフ指示信号が取得されると温度センサにより検出された消灯時温度を取得する消灯時温度取得部７２２と、消灯時温度をメモリに書き込む消灯時温度書込部７２３と、光源ランプを消灯させる光源ランプ制御部７４と、電源オン指示信号が取得されると温度センサにより検出された点灯時温度を取得する点灯時温度取得部７３２と、メモリに記録された消灯時温度を読み出し、消灯時温度および点灯時温度の温度差が点灯許可温度差以上であるか否かを判定する温度差判定部７３３とを備え、温度差が点灯許可温度差以上であると判定されると、光源ランプ制御部７４が光源ランプを点灯させる。【選択図】図３
2007206574.tif 000002
【特許請求の範囲】
【請求項１】
光源ランプと、前記光源ランプから射出された光束を画像情報に基づいて変調し光学像を形成する光変調装置と、前記光変調装置により形成された光学像を拡大投射する投射レンズとを備えたプロジェクタであって、
入力操作に応じて操作手段から出力された前記電源オフ指示信号を取得する電源オフ指示信号取得部と、
前記電源オフ指示信号取得部により前記電源オフ指示信号が取得されると、前記光源ランプの周辺温度を温度センサに測定させ、前記温度センサにより測定された消灯時温度を取得する消灯時温度取得部と、
前記消灯時温度取得部により取得された前記消灯時温度をメモリに書き込む消灯時温度書込部と、
前記光源ランプを消灯させる光源ランプ消灯部と、
入力操作に応じて前記操作手段から出力された前記電源オン指示信号を取得する電源オン指示信号取得部と、
前記電源オフ指示信号取得部により前記電源オン指示信号が取得されると、前記光源ランプの周辺温度を前記温度センサに測定させ、前記温度センサにより測定された点灯時温度を取得する点灯時温度取得部と、
前記メモリに記録された前記消灯時温度を読み出し、前記消灯時温度および前記点灯時温度取得部により取得された前記点灯時温度の温度差と、予め前記メモリに記録された所定の点灯許可温度差とを比較し、前記温度差が前記点灯許可温度差以上であるか否かを判定する温度差判定部と、
前記温度差判定部により前記温度差が前記点灯許可温度差以上であると判定されると、前記光源ランプを点灯させる光源ランプ点灯部とを備えていることを特徴とするプロジェクタ。
【請求項２】
請求項１に記載のプロジェクタにおいて、
前記温度差判定部により前記温度差が前記点灯許可温度差未満であると判定されると、計時手段に計時を開始させる計時手段制御部と、
前記計時手段により計時された経過時間と、前記メモリに予め記録された所定の冷却時間とを比較し、前記経過時間が前記冷却時間以上であるか否かを判定する経過時間判定部とを備え、
前記光源ランプ点灯部は、前記経過時間判定部により前記経過時間が前記冷却時間以上であると判定されると、前記光源ランプを点灯させることを特徴とするプロジェクタ。
【請求項３】
請求項１に記載のプロジェクタにおいて、
前記温度差判定部により前記温度差が前記点灯許可温度差未満であると判定されると、計時手段に計時を開始させる計時手段制御部と、
前記計時手段により計測された経過時間と、前記メモリに予め記録された所定の待機時間とを比較し、前記経過時間が前記待機時間以上であるか否かを判定する経過時間判定部とを備え、
点灯時温度取得部は、前記前記経過時間判定部により前記経過時間が前記待機時間以上であると判定されると、前記光源ランプの周辺温度を前記温度センサに測定させ、前記温度センサにより測定された点灯時温度を取得し、
前記温度差判定部は、前記消灯時温度および前記点灯時温度の温度差と、前記点灯許可温度差とを比較し、前記温度差が前記点灯許可温度差以上であるか否かを判定し、
前記温度差判定部により前記温度差が前記点灯許可温度差以上であると判定されると、前記光源ランプ点灯部は、前記光源ランプを点灯させることを特徴とするプロジェクタ。
【請求項４】
請求項２または請求項３に記載のプロジェクタにおいて、
前記温度差判定部により前記温度差が前記点灯許可温度差未満であると判定されると、冷却手段を駆動させて前記光源ランプを強制的に冷却させる冷却手段制御部とを備えていることを特徴とするプロジェクタ。
【請求項５】
光源ランプと、前記光源ランプから射出された光束を画像情報に基づいて変調し光学像を形成する光変調装置と、前記光変調装置で形成された光学像を拡大投射する投射レンズとを備えたプロジェクタの光源ランプ制御方法であって、
入力操作に応じて操作手段から出力された前記電源オフ指示信号を取得する電源オフ指示信号取得ステップと、
前記電源オフ指示信号取得ステップで前記電源オフ指示信号が取得されると、前記光源ランプの周辺温度を温度センサに測定させ、前記温度センサで測定された消灯時温度を取得する消灯時温度取得ステップと、
前記消灯時取得ステップで取得された前記消灯時温度をメモリに書き込む消灯時温度書込ステップと、
前記光源ランプを消灯させる光源ランプ消灯ステップと、
入力操作に応じて前記操作手段から出力された前記電源オン指示信号を取得する電源オン指示信号取得ステップと、
前記電源オフ指示信号取得手段で前記電源オン指示信号が取得されると、前記光源ランプの周辺温度を前記温度センサに測定させ、前記温度センサで測定された点灯時温度を取得する点灯時温度取得ステップと、
前記メモリに記録された前記消灯時温度を読み出し、前記消灯時温度および前記点灯時温度取得ステップで取得された前記点灯時温度の温度差と、予め前記メモリに記録された所定の点灯許可温度差とを比較し、前記温度差が前記点灯許可温度差以上であるか否かを判定する温度差判定ステップと、
前記温度差判定ステップで前記温度差が前記点灯許可温度差以上であると判定されると、前記光源ランプを点灯させる光源ランプ点灯ステップとを備えていることを特徴とする光源ランプ制御方法。
【請求項６】
光源ランプと、前記光源ランプから射出された光束を画像情報に基づいて変調し光学像を形成する光変調装置と、前記光変調装置で形成された光学像を拡大投射する投射レンズとを備えたプロジェクタのコンピュータ読み取り可能な光源ランプ制御プログラムであって、
入力操作に応じて操作手段から出力された前記電源オフ指示信号を取得する電源オフ指示信号取得ステップと、
前記電源オフ指示信号取得ステップで前記電源オフ指示信号が取得されると、前記光源ランプの周辺温度を温度センサに測定させ、前記温度センサで測定された消灯時温度を取得する消灯時温度取得ステップと、
前記消灯時取得ステップで取得された前記消灯時温度をメモリに書き込む消灯時温度書込ステップと、
前記光源ランプを消灯させる光源ランプ消灯ステップと、
入力操作に応じて前記操作手段から出力された前記電源オン指示信号を取得する電源オン指示信号取得ステップと、
前記電源オフ指示信号取得手段で前記電源オン指示信号が取得されると、前記光源ランプの周辺温度を前記温度センサに測定させ、前記温度センサで測定された点灯時温度を取得する点灯時温度取得ステップと、
前記メモリに記録された前記消灯時温度を読み出し、前記消灯時温度および前記点灯時温度取得ステップで取得された前記点灯時温度の温度差と、予め前記メモリに記録された所定の点灯許可温度差とを比較し、前記温度差が前記点灯許可温度差以上であるか否かを判定する温度差判定ステップと、
前記温度差判定ステップで前記温度差が前記点灯許可温度差以上であると判定されると、前記光源ランプを点灯させる光源ランプ点灯ステップとを備えていることを特徴とする光源ランプ制御プログラム。
【請求項７】
請求項６に記載の光源ランプ制御プログラムがコンピュータ読取可能に記録されたことを特徴とする記録媒体。
【発明の詳細な説明】
【技術分野】
【０００１】
本発明は、プロジェクタ、光源ランプ制御方法、コンピュータ読み取り可能な光源ランプ制御プログラム、および、記録媒体に関する。
【背景技術】
【０００２】
従来、光源ランプから射出された光束を、画像情報に応じて変調して拡大投写するプロジェクタが利用されている。光源ランプは、放電管内に設けられた電極間に高電圧が印加され、この電極間で放電が発生されることで点灯される。
【０００３】
光源ランプを消灯し、続けて再度点灯させる際など、光源ランプの温度（放電管内の温度）が高温である場合電極間で放電が発生しにくく、点灯が失敗しやすい。また、電極間に高電圧を印加させることで電極表面が劣化されるため、光源ランプの点灯失敗は極力回避する必要がある。
これに対し、光源ランプの点灯前に光源ランプ周辺の温度（ランプ周辺温度）を測定し、点灯成功がある程度保障される基準ランプ周辺温度と比較して、ランプ周辺温度が基準ランプ周辺温度以下の場合に点灯を行うプロジェクタが知られている（例えば、特許文献１参照）。特許文献１に記載のプロジェクタは、ランプ周辺温度が基準ランプ周辺温度以下となるまで光源ランプを冷却させてから点灯させることで、光源ランプの点灯失敗を回避している。
【０００４】
【特許文献１】特開２００４−１６３６８６号公報
【発明の開示】
【発明が解決しようとする課題】
【０００５】
しかしながら、特許文献１に記載のプロジェクタでは、次のような課題がある。
消灯時のランプ周辺温度は、プロジェクタの使用環境、例えば、プロジェクタ周囲の気温、標高（気圧）等に影響される。例えば、プロジェクタの周囲の気温が高い場合、ランプ周辺温度も高温となる。これに対して、光源ランプの温度はランプ周辺温度と比較して大幅に高いため、使用環境の影響を受けない。このため、光源ランプが十分に冷却されているにも関わらず、ランプ周辺温度が基準ランプ周辺温度より低下されないために点灯が規制される場合があり、光源ランプの点灯に必要以上の時間を要していた。逆に、ランプ周辺温度が基準ランプ周辺温度以下に低下していても、光源ランプが高温に保たれている場合もある。この場合、光源ランプの点灯が失敗し電極の劣化が進んでしまう。
このように、特許文献１のプロジェクタは、光源ランプの温度変化に即した適切な点灯制御を行っているとはいえないという課題がある。
【０００６】
本発明の目的は、光源ランプの速やかな再点灯および長寿命化を実現できるプロジェクタを提供することにある。
【課題を解決するための手段】
【０００７】
前記した目的を達するために、本発明のプロジェクタは、光源ランプと、前記光源ランプから射出された光束を画像情報に基づいて変調し光学像を形成する光変調装置と、前記光変調装置により形成された光学像を拡大投射する投射レンズとを備えたプロジェクタであって、入力操作に応じて操作手段から出力された前記電源オフ指示信号を取得する電源オフ指示信号取得部と、前記電源オフ指示信号取得部により前記電源オフ指示信号が取得されると、前記光源ランプの周辺温度を温度センサに測定させ、前記温度センサにより測定された消灯時温度を取得する消灯時温度取得部と、前記消灯時温度取得部により取得された前記消灯時温度をメモリに書き込む消灯時温度書込部と、前記光源ランプを消灯させる光源ランプ消灯部と、入力操作に応じて前記操作手段から出力された前記電源オン指示信号を取得する電源オン指示信号取得部と、前記電源オフ指示信号取得部により前記電源オン指示信号が取得されると、前記光源ランプの周辺温度を前記温度センサに測定させ、前記温度センサにより測定された点灯時温度を取得する点灯時温度取得部と、前記メモリに記録された前記消灯時温度を読み出し、前記消灯時温度および前記点灯時温度取得部により取得された前記点灯時温度の温度差と、予め前記メモリに記録された所定の点灯許可温度差とを比較し、前記温度差が前記点灯許可温度差以上であるか否かを判定する温度差判定部と、前記温度差判定部により前記温度差が前記点灯許可温度差以上であると判定されると、前記光源ランプを点灯させる光源ランプ点灯部とを備えていることを特徴とする。
【０００８】
前述したように、従来のプロジェクタは、光源ランプの点灯前に光源ランプ周辺温度を測定し、この光源ランプ周辺温度が閾値以下である場合、光源ランプ点灯を許可していた。しかしながら、光源ランプ周辺温度は、プロジェクタ周囲の環境に左右されるため、必ずしも光源ランプの温度変化を正確に示しているとは言えない。このため、光源ランプが十分に冷却されていても点灯が規制されたままとなり、光源ランプの点灯動作に速やかに移行できないでいた。
【０００９】
これに対し、本発明によれば、温度差判定部が、消灯時温度と点灯時温度の温度差が点灯許可温度差以上であるか否かを判定し、点灯許可温度差以上である場合に光源ランプの点灯が許可される。すなわち、本発明では、光源ランプが点灯可能か否かを、光源ランプ周辺温度の温度変化量に応じて判断している。光源ランプ周辺温度の温度変化量は、プロジェクタの使用環境によらず、光源ランプの温度変化を正確に把握することができるため、本発明のプロジェクタは、光源ランプの点灯失敗の防止や、光源ランプの速やかな再点灯動作を可能とすることができる。さらに、光源ランプの再点灯失敗を防止できることから、光源ランプの劣化を抑制し、長寿命化を図ることができる。
また、本発明のプロジェクタは、従来のプロジェクタのように駆動終了時に光源ランプの冷却作業を行う必要がないため、駆動終了操作後すぐさま移動や片付けを行うことができる。
【００１０】
本発明では、前記温度差判定部により前記温度差が前記点灯許可温度差未満であると判定されると、計時手段に計時を開始させる計時手段制御部と、前記計時手段により計時された経過時間と、前記メモリに予め記録された所定の冷却時間とを比較し、前記経過時間が前記冷却時間以上であるか否かを判定する経過時間判定部とを備え、前記光源ランプ点灯部は、前記経過時間判定部により前記経過時間が前記冷却時間以上であると判定されると、前記光源ランプを点灯させることが好ましい。
本発明によれば、点灯時温度および消灯時温度の温度差が点灯許可温度差未満と判定されてから、光源ランプが十分に冷却されたと推測できる冷却時間経過後に、光源ランプ点灯動作を行う。従って、光源ランプの再点灯失敗をより確実に防止することができる。
【００１１】
本発明では、前記温度差判定部により前記温度差が前記点灯許可温度差未満であると判定されると、計時手段に計時を開始させる計時手段制御部と、前記計時手段により計測された経過時間と、前記メモリに予め記録された所定の待機時間とを比較し、前記経過時間が前記待機時間以上であるか否かを判定する経過時間判定部とを備え、点灯時温度取得部は、前記前記経過時間判定部により前記経過時間が前記待機時間以上であると判定されると、前記光源ランプの周辺温度を前記温度センサに測定させ、前記温度センサにより測定された点灯時温度を取得し、前記温度差判定部は、前記消灯時温度および前記点灯時温度の温度差と、前記点灯許可温度差とを比較し、前記温度差が前記点灯許可温度差以上であるか否かを判定し、前記温度差判定部により前記温度差が前記点灯許可温度差以上であると判定されると、前記光源ランプ点灯部は、前記光源ランプを点灯させることが好ましい。
【００１２】
本発明によれば、点灯時温度および消灯時温度の温度差が点灯許可温度差未満と判定されてから、所定の待機時間経過後、点灯時温度取得部が再度点灯時温度を測定し、温度差判定部が点灯時温度および消灯時温度の温度差を点灯許可温度差と比較する。すなわち、本発明のプロジェクタは、点灯時温度および消灯時温度の温度差が点灯許可温度差以上となってから光源ランプの点灯動作を行うため、点灯失敗をより確実に防止することができる。また、待機時間を比較的短時間に設定すると、点灯時温度および消灯時温度の温度差の判定を細かく行うことができるため、光源ランプの速やかな点灯動作を可能とすることができる。
【００１３】
本発明では、前記温度差判定部により前記温度差が前記点灯許可温度差未満であると判定されると、冷却手段を駆動させて前記光源ランプを強制的に冷却させる冷却手段制御部とを備えていることが好ましい。
本発明によれば、点灯時温度および消灯時温度の温度差が点灯許可温度差未満と判定されると、冷却手段により光源ランプの強制冷却が行われる。従って、光源ランプを早急にかつ十分に冷却させることができるため、光源ランプの再点灯動作をより速やかに実行でき、また、再点灯失敗をより確実に防止することができる。
【００１４】
光源ランプと、前記光源ランプから射出された光束を画像情報に基づいて変調し光学像を形成する光変調装置と、前記光変調装置で形成された光学像を拡大投射する投射レンズとを備えたプロジェクタの光源ランプ制御方法であって、入力操作に応じて操作手段から出力された前記電源オフ指示信号を取得する電源オフ指示信号取得ステップと、前記電源オフ指示信号取得ステップで前記電源オフ指示信号が取得されると、前記光源ランプの周辺温度を温度センサに測定させ、前記温度センサで測定された消灯時温度を取得する消灯時温度取得ステップと、前記消灯時取得ステップで取得された前記消灯時温度をメモリに書き込む消灯時温度書込ステップと、前記光源ランプを消灯させる光源ランプ消灯ステップと、入力操作に応じて前記操作手段から出力された前記電源オン指示信号を取得する電源オン指示信号取得ステップと、前記電源オフ指示信号取得手段で前記電源オン指示信号が取得されると、前記光源ランプの周辺温度を前記温度センサに測定させ、前記温度センサで測定された点灯時温度を取得する点灯時温度取得ステップと、前記メモリに記録された前記消灯時温度を読み出し、前記消灯時温度および前記点灯時温度取得ステップで取得された前記点灯時温度の温度差と、予め前記メモリに記録された所定の点灯許可温度差とを比較し、前記温度差が前記点灯許可温度差以上であるか否かを判定する温度差判定ステップと、前記温度差判定ステップで前記温度差が前記点灯許可温度差以上であると判定されると、前記光源ランプを点灯させる光源ランプ点灯ステップとを備えていることを特徴とする。
【００１５】
本発明によれば、前述した本発明のプロジェクタの作用および効果と同様の作用および効果を享受することができる。さらに、本発明を光源ランプ制御方法として構成したので、任意のプロジェクタで実行されることができる。つまり、本発明の光源ランプ制御方法を用いて、プロジェクタが光源ランプの点灯・消灯制御を行うことにより、前述した本発明のプロジェクタの作用および効果を享受することができるので、汎用性を拡大することができる。
【００１６】
また、本発明は、前記光源ランプ制御方法の発明をプロジェクタ上で実行させるコンピュータ読み取り可能な光源ランプ制御プログラムとしても構成することができる。
本発明によれば、前述した本発明の光源ランプ制御方法をプログラムとして構成することにより、任意のプロジェクタを、前述した作用および効果を享受できるプロジェクタとすることができるので、汎用性を拡大することができる。
【００１７】
本発明の記録媒体は、前記光源ランプ制御プログラムがコンピュータ読取可能に記録されていることを特徴とする。
ここで、記録媒体として、ＦＲＯＭ（Flash Read Only Memory）等の半導体メモリ、ＤＡＴ（Digital Audio Ｔape）等の磁気テープ、ＦＤ（Flexible Disc）等の磁気ディスク、ＣＤ（Compact Disc）およびＤＶＤ（Digital Versatile Disc）等の光ディスク等が挙げられる。
本発明によれば、記録媒体にコンピュータ読み取り可能に記録された前記光源ランプ制御プログラムを、任意のプロジェクタが実行することで、前述した作用および効果を享受できる。
【発明を実施するための最良の形態】
【００１８】
＜第１実施形態＞
本発明の第１実施形態を、図１〜図５を参照して説明する。
本実施形態では、光源ランプ２１１が実装されたプロジェクタ１を取り上げる。プロジェクタ１は、光源ランプ２１１から射出された光束を画像情報に応じて変調し拡大投射する光学ユニット２（図１）を備えている。
〔光学ユニット２の構成〕
図１は、光学ユニット２の光学系の構成を示す模式平面図である。
光学ユニット２は、図１に示すように、光源ランプ２１１から射出された光束を変調して、後述する制御基板６から入力される画像情報に応じた光学像を形成し、形成された光学像を投射レンズ２６により拡大投射するものである。
このような光学ユニット２は、光源装置２１と、インテグレータ照明光学系２２と、色分離光学系２３と、リレー光学系２４と、光学装置２５と、投射レンズ２６と、これらを内部に収納する光学部品用筐体（図示省略）と、投射レンズ２６を保持固定するヘッド体（図示省略）とを備えて構成されている。
【００１９】
光源装置２１は、高圧放電ランプからなる光源としての光源ランプ２１１と、リフレクタ２１２と、防爆ガラス２１３とを備えて構成されている。そして、この光源装置２１は、光源ランプ２１１から射出された放射状の光線をリフレクタ２１２で反射して平行光線とし、この平行光線を、防爆ガラス２１３を介して外部へと射出する。
【００２０】
このうち、光源ランプ２１１は、ガラスから成る放電管と、放電管内に対向して配置された２つの電極とを備えている。放電管には、水銀および希ガス等が封入されている。両電極は、高融点金属棒から成り、それぞれ導通を得るためのタングステン棒およびリード線等が接続されている。
本実施形態では、高圧水銀ランプを採用しているが、メタルハライドランプやハロゲンランプ等を採用することもできる。
また、リフレクタ２１２としては、放物面鏡を採用しているが、放物面鏡の代わりに、平行化凹レンズおよび楕円面鏡を組み合わせたものを採用してもよい。
【００２１】
防爆ガラス２１３は、リフレクタ２１２の開口部分を閉塞する透光性のガラス部材であり、光源ランプ２１１が破裂した場合に、当該光源ランプ２１１の破片が外部に飛散しないように構成されている。
【００２２】
インテグレータ照明光学系２２は、光学装置２５を構成する後述する４つの液晶パネル２５１の画像形成領域をほぼ均一に照明するための光学系である。このインテグレータ照明光学系２２は、第１レンズアレイ２２１と、第２レンズアレイ２２２と、偏光変換素子２２３と、重畳レンズ２２４とを備えている。
【００２３】
第１レンズアレイ２２１は、光軸方向から見てほぼ矩形状の輪郭を有する小レンズがマトリクス状に配列された構成を有し、各小レンズは、光源装置２１から射出された光束を複数の部分光束に分割している。
第２レンズアレイ２２２は、第１レンズアレイ２２１と略同様な構成を有しており、小レンズがマトリクス状に配列された構成を有している。この第２レンズアレイ２２２は、重畳レンズ２２４とともに、第１レンズアレイ２２１の各小レンズの像を後述する液晶パネル２５１上に結像させる機能を有する。
【００２４】
偏光変換素子２２３は、第２レンズアレイ２２２と重畳レンズ２２４との間に配設される。このような偏光変換素子２２３は、第２レンズアレイ２２２からの光を略１種類の直線偏光に変換するものであり、これにより、光学装置２５での光の利用効率が高められている。
【００２５】
具体的に、偏光変換素子２２３によって略１種類の直線偏光に変換された各部分光は、重畳レンズ２２４によって最終的に光学装置２５の後述する液晶パネル２５１上にほぼ重畳される。偏光光を変調するタイプの液晶パネル２５１を用いたプロジェクタ１では、１種類の直線偏光しか利用できないため、他種類のランダムな偏光光を発する光源ランプ２１１からの光のほぼ半分が利用されない。そこで、偏光変換素子２２３を用いることにより、光源ランプ２１１から射出された光束を略１種類の直線偏光に変換し、光学装置２５での光の利用効率を高めている。
【００２６】
色分離光学系２３は、２枚のダイクロイックミラー２３１，２３２と、反射ミラー２３３とを備え、ダイクロイックミラー２３１，２３２により、インテグレータ照明光学系２２から射出された複数の部分光束を赤（Ｒ）、緑（Ｇ）、青（Ｂ）の３色の色光に分離する機能を有している。
【００２７】
リレー光学系２４は、入射側レンズ２４１と、リレーレンズ２４３と、反射ミラー２４２，２４４とを備え、色分離光学系２３で分離された色光である赤色光を光学装置２５の後述する赤色光用の液晶パネル２５１Ｒまで導く機能を有している。
【００２８】
この際、色分離光学系２３のダイクロイックミラー２３１では、インテグレータ照明光学系２２から射出された光束の赤色光成分と緑色光成分とが透過するとともに、青色光成分が反射する。ダイクロイックミラー２３１によって反射した青色光は、反射ミラー２３３で反射し、フィールドレンズ２５５を通って、光学装置２５の後述する青色光用の液晶パネル２５１Ｂに到達する。このフィールドレンズ２５５は、第２レンズアレイ２２２から射出された各部分光束をその中心軸（主光線）に対して平行な光束に変換する。他の緑色光用、赤色光用の光変調装置の光束入射側に設けられたフィールドレンズ２５５も同様である。
【００２９】
また、ダイクロイックミラー２３１を透過した赤色光と緑色光のうちで、緑色光は、ダイクロイックミラー２３２によって反射し、フィールドレンズ２５５を通って、緑色光用の液晶パネル２５１Ｇに到達する。一方、赤色光は、ダイクロイックミラー２３２を透過してリレー光学系２４を通り、さらにフィールドレンズ２５５を通って、赤色光用の液晶パネル２５１Ｒに到達する。
【００３０】
なお、赤色光にリレー光学系２４が用いられているのは、赤色光の光路の長さが他の色
光の光路の長さよりも長いため、光の発散等による光の利用効率の低下を防止するためである。すなわち、入射側レンズ２４１に入射した部分光束をそのまま、フィールドレンズ２５５に伝えるためである。なお、リレー光学系２４には、３つの色光のうち赤色光を通す構成としたが、これに限らず、例えば、青色光、緑色光を通す構成としてもよい。
【００３１】
光学装置２５は、入射された光束を画像情報に応じて変調してカラー画像を形成するものである。光学装置２５は、色分離光学系２３で分離された各色光が入射される３つの入射側偏光板２５２と、各入射側偏光板２５２の光路後段に配置される３つの液晶パネル２５１（赤色光用の液晶パネルを２５１Ｒ、緑色光用の液晶パネルを２５１Ｇ、青色光用の液晶パネルを２５１Ｂとする）と、各液晶パネル２５１の光路後段に配置される３つの射出側偏光板２５３と、クロスダイクロイックプリズム２５４とを備える。
【００３２】
そして、これら入射側偏光板２５２、液晶パネル２５１、射出側偏光板２５３、およびクロスダイクロイックプリズム２５４は、一体的に装置化されている。なお、入射側偏光板２５２、液晶パネル２５１、および、射出側偏光板２５３は、具体的な図示は省略するが、所定の間隔を空けて配置されている。
【００３３】
入射側偏光板２５２は、偏光変換素子２２３で偏光方向が略一方向に揃えられた各色光が入射され、入射された光束のうち、偏光変換素子２２３で揃えられた光束の偏光軸と略同一方向の偏光光のみ透過させ、その他の光束を吸収するものである。この入射側偏光板２５２は、例えば、サファイアガラスまたは水晶等の透光性基板上に偏光膜が貼付された構成を有している。
【００３４】
液晶パネル２５１は、一対の透明ガラス基板に電気光学物質である液晶が密閉封入された構成を有し、後述する制御基板６から出力される制御信号に応じて、画像形成領域内にある前記液晶の配向状態が制御され、入射側偏光板２５２から射出された偏光光束の偏光方向を変調する。
射出側偏光板２５３は、入射側偏光板２５２と略同様の構成であり、液晶パネル２５１の画像形成領域から射出された光束のうち、入射側偏光板２５２における光束の透過軸と直交する偏光軸を有する光束のみ透過させ、その他の光束を吸収するものである。
【００３５】
クロスダイクロイックプリズム２５４は、射出側偏光板２５３から射出された色光毎に変調された光学像を合成してカラー画像を形成する光学素子である。このクロスダイクロイックプリズム２５４は、４つの直角プリズムを貼り合わせた平面視正方形状をなし、直角プリズム同士を貼り合わせた界面には、４つの誘電体多層膜が形成されている。これら誘電体多層膜は、液晶パネル２５１Ｒ，２５１Ｂから射出され射出側偏光板２５３を介した各色光を反射し、液晶パネル２５１Ｇから射出され射出側偏光板２５３を介した緑色光を透過する。このようにして、各液晶パネル２５１Ｒ，２５１Ｇ，２５１Ｂにて変調された各色光が合成され、カラー画像が形成される。
【００３６】
投射レンズ２６は、鏡筒内に複数のレンズ、および、入射光束を偏向するミラーが収納された構成を有し、光学装置２５から射出されたカラー画像を拡大し投射するものである。この投射レンズ２６は、光学装置２５の光束射出側に配置されている。
光学部品用筐体は、内部に所定の照明光軸Ｄが設定され、上述した光学部品２４〜２５を照明光軸Ｄに対する所定位置に配置する。
【００３７】
〔プロジェクタ１の内部構成〕
図２は、プロジェクタ１の内部構成を説明するためのブロック図である。
プロジェクタ１には、図２に示すように、前述した光学ユニット２と、電源ブロック３と、温度センサ４と、冷却手段としてのファン５と、これら各構成部２〜５を制御する制御基板６と、操作手段としての操作パネル８とを備えている。
このうち電源ブロック３は、電源部３１と、ランプ駆動部３２とを備えている。
電源部３１は、電源ケーブルを通して外部から供給された電力を、ランプ駆動部３２や制御基板６等に供給するものである。
【００３８】
ランプ駆動部３２は、前述した光源装置２１に安定した電圧で電力を供給するための変換回路である。電源部３１から入力した商用交流電流は、このランプ駆動部３２によって整流、変換されて、直流電流や交流矩形波電流となって光源装置２１に供給される。ランプ駆動部３２は、後述する制御基板６による制御の下、光源装置２１を駆動して光源ランプ２１１の点灯、消灯および輝度調節等を行う。
【００３９】
温度センサ４は、光源ランプ２１１の近傍、例えば、光源ランプ２１１や光学ユニット２内で発生する熱を空気の流れにより放熱させるための排気経路に設置されている。温度センサ４は、温度特性を有するサーミスタの抵抗値を検出し、検出された抵抗値データを制御基板６に出力する。制御基板６は、該抵抗値データを基に光源ランプ２１１の周辺温度を取得する。
ファン５は、制御基板６による制御に従って駆動し、光源装置２１を冷却するための冷却風を送風する。
操作パネル８は、プロジェクタ１の電源オンおよび電源オフを実行させるための電源オン／オフボタン（図示略）等の複数の操作ボタンを備え、各操作ボタンの入力操作に応じて、指示信号を制御基板６に出力する。
【００４０】
制御基板６は、インターフェイス６１と、液晶パネル駆動部６２と、メモリとしてのＦＲＯＭ（Flash Read Only Memory）６３と、ＲＯＭ（Read Only Memory）６４と、制御部７とを備えている。
このうち、ＦＲＯＭ６３およびＲＯＭ６４は、制御部７によって処理されるプログラムや各種データが記録されている。具体的には、ＦＲＯＭ６３には、プロジェクタ１の終了時に、次回起動時の初期化処理に用いる初期データ、および、後述する消灯時温度Ｔ１等が記録される。ＲＯＭ３４には、プロジェクタ１の製造時に、プロジェクタ１の駆動制御に用いられる光源ランプ制御プログラム、および、後述する点灯許可温度差ΔＴ０、冷却時間Ｌ０等が予め記録される。
インターフェイス６１には、コネクタ群が実装されていて、コネクタ群から入力する画像情報は、このインターフェイス６１を介して制御部に出力される。
【００４１】
制御部７は、各種信号に応じて演算処理を行い、演算処理結果に基づく制御命令を各構成部２〜５に出力する。
例えば、制御部７は、インターフェイス６１を介して画像情報が入力すると、画像情報の演算処理を行い、演算処理結果に基づく制御命令を液晶パネル駆動部６２に出力する。液晶パネル駆動部６２は、この制御命令に基づいて駆動信号を生成出力して各液晶パネル２５１（２５１Ｒ、２５１Ｇ、２５１Ｂ）を駆動させる。これにより、各液晶パネル２５１において画像情報に応じた光変調が行なわれ、光学像が形成される。
さらに例えば、制御部７は、電源オン／オフボタンの入力操作に応じて、ＲＯＭ３４内に記録されている光源ランプ制御プログラムを読み出し、光源ランプ制御プログラムに基づく制御命令をランプ駆動部３２に出力する。このプロジェクタ１の電源オン・オフ制御に携わる制御部７内の構成について次に詳述する。
【００４２】
〔制御部７の構成〕
図３は、プロジェクタ１の電源オン・オフ制御に携わる制御部７の構成を説明するためのブロック図である。
制御部７は、図３に示すように、操作パネル８から出力された指示信号を取得する入力信号取得部７１と、電源オフ指示信号に応じてプロジェクタ１の終了処理を実行する電源オフ処理部７２と、電源オフ指示信号に応じてプロジェクタ１の起動処理を実行する電源オン処理部７３と、各処理部７２，７３の処理に応じてランプ駆動部３２に制御命令を出力する光源ランプ制御部７４と、計時手段としてのタイマ７５とを備えている。
なお、入力信号取得部７１は、本発明の電源オフ指示信号取得部および電源オン指示信号取得部に相当する。また、光源ランプ制御部７４は、本発明の光源ランプ消灯部および光源ランプ点灯部に相当する。
【００４３】
このうち、電源オフ処理部７２は、終了処理部７２１と、消灯時温度取得部７２２と、消灯時温度書込部７２３とを備えている。
終了処理部７２１は、入力信号取得部７１により電源オフ指示信号が取得されると、プロジェクタ１の各構成部２〜５等に制御命令を出力し、プロジェクタ１の駆動を終了させるための終了処理を実行する。具体的には、終了処理部７２１は、プロジェクタ１の次回起動時に初期データとして用いるために、現在のプロジェクタ１の駆動データをＦＲＯＭ６３に記録する。駆動データとして、例えば、設置モード（通常設置・天つり設置）、光源ランプ２１１の輝度レベル、投射モード等などが挙げられる。
そして、終了処理部７２１は、初期データの記録が完了すると、消灯時温度取得部７２２および光源ランプ制御部７４に消灯許可の連絡信号を出力する。光源ランプ制御部７４は、消灯許可の連絡信号を取得すると、ランプ駆動部３２にランプ消灯命令を出力する。
【００４４】
消灯時温度取得部７２２は、消灯許可の連絡信号を取得すると、温度センサ４から出力された抵抗値データを取得する。そして、消灯時温度取得部７２２は、当該抵抗値データを解析して消灯時温度Ｔ１を取得する。
消灯時温度書込部７２３は、消灯時温度取得部７２２により取得された消灯時温度Ｔ１を、ＦＲＯＭ６３に記録する。
【００４５】
電源オン処理部７３は、初期化処理部７３１と、点灯時温度取得部７３２と、温度差判定部７３３と、冷却手段制御部としてのファン制御部７３４と、計時手段制御部としてのタイマ制御部７３５と、経過時間判定部７３６とを備えている。
初期化処理部７３１は、入力信号取得部７１により電源オン指示信号が取得されると、プロジェクタ１の各構成部２〜５等に制御命令を出力し、プロジェクタ１を起動するための初期化処理を実行する。具体的には、初期化処理部７３１は、ＦＲＯＭ６３に記録されている初期データを読み出し、該初期データに基づく制御命令を出力する。各構成部２〜５は、該制御命令に従い前回駆動時と同じ駆動データで駆動する。
【００４６】
点灯時温度取得部７３２は、入力信号取得部７１により電源オン指示信号が取得されると、温度センサ４から出力された抵抗値データを取得し、当該抵抗値データを解析して点灯時温度Ｔ２を取得する。
温度差判定部７３３は、まず、ＲＯＭ６４に記録されている点灯許可温度差ΔＴ０、および、ＦＲＯＭ６３に記録されている消灯時温度Ｔ１を読み出す。そして、温度差判定部７３３は、消灯時温度Ｔ１、および、点灯時温度取得部７３２により取得された点灯時温度Ｔ２の温度差ΔＴを算出し、算出された温度差ΔＴが点灯許可温度差ΔＴ０以上であるか否かを判定する。
【００４７】
温度差ΔＴが点灯許可温度差ΔＴ０以上である場合、温度差判定部７３３は、点灯許可の連絡信号を光源ランプ制御部７４に出力する。光源ランプ制御部７４は、点灯許可の連絡信号を取得すると、ランプ駆動部３２にランプ点灯命令を出力する。
温度差ΔＴが点灯許可温度差ΔＴ０未満である場合、温度差判定部７３３は、ランプ冷却の連絡信号をファン制御部７３４およびタイマ制御部７３５に出力する。
【００４８】
ファン制御部７３４は、ランプ冷却の連絡信号を取得すると、ファン５に制御命令を出力し、ファン５を駆動させる。
タイマ制御部７３５は、ランプ冷却の連絡信号を取得すると、タイマ７５に制御命令を出力し、該連絡信号取得時からの経過時間Ｌの計時を開始させる。
経過時間判定部７３６は、ＲＯＭ６４に記録されている冷却時間Ｌ０を読み出すとともに、タイマ７５により計時されている経過時間Ｌを監視し、経過時間Ｌが冷却時間Ｌ０以上経過したか否かを判定する。経過時間Ｌが冷却時間Ｌ０以上経過した場合、経過時間判定部７３６は、点灯許可の連絡信号を光源ランプ制御部７４に出力する。
【００４９】
〔制御部７の作用〕
制御部７の作用について、図４および図５を用いて説明する。
制御部７は、電源オン／オフボタンの入力操作に応じて、光源ランプ２１１の点灯・消灯制御処理を行う。光源ランプ２１１の点灯・消灯制御処理は、プロジェクタ１の終了時に行われる電源オフ処理（図４）と、プロジェクタ１の起動時に行われる電源オン処理（図５）内において実行される。
【００５０】
まず、制御部７による電源オフ処理について説明する。図４は、電源オフ処理を説明するためのフロー図である。なお、プロジェクタ１は、駆動状態にあり、光源ランプ２１１は点灯している。
図４に示すように、制御部７の入力信号取得部７１は、制御部７に入力する入力信号を監視しており、操作パネル８から出力される電源オフ指示信号が入力したか否かを判定している（Ｓ１）。電源オフ指示信号が入力されない場合、入力信号取得部７１は、入力信号の監視を続行する。
一方、電源オフ指示信号が入力された場合、電源オフ処理部７２を構成する終了処理部７２１は、プロジェクタ１の終了処理を実行し、初期データをＦＲＯＭ６３に記録する（Ｓ２）。そして、終了処理部７２１は、終了処理が完了すると、消灯時温度取得部７２２および光源ランプ制御部７４に消灯許可の連絡信号を出力する。
【００５１】
消灯時温度取得部７２２は、消灯許可の連絡信号を取得すると、温度センサ４の測定制御を行い、温度センサ４により検出された抵抗値データから消灯時温度Ｔ１を取得する（Ｓ３）。そして、消灯時温度書込部７２３は、処理Ｓ３で取得された消灯時温度Ｔ１をＦＲＯＭ６３に記録する（Ｓ４）。
また、光源ランプ制御部７４は、消灯許可の連絡信号を取得すると、ランプ駆動部３２にランプ消灯命令を出力する（Ｓ５）。すると、ランプ駆動部３２は、ランプ消灯命令に応じて光源装置２１を駆動し、光源ランプ２１１を消灯させる。
【００５２】
次に、制御部７による電源オン処理を説明する。図５は、電源オン処理を説明するためのフロー図である。なお、プロジェクタ１は、電源オフ処理（図４）により電源が落とされ、停止状態にある。
図５に示すように、入力信号取得部７１は、制御部７に入力する入力信号を監視しており、操作パネル８から出力される電源オン指示信号が入力したか否かを判定している（Ｓ６）。電源オン指示信号が入力されない場合、入力信号取得部７１は、入力信号の監視を続行する。
一方、電源オン指示信号が入力された場合、電源オン処理部７３を構成する初期化処理部７３１は、プロジェクタ１の終了時に、処理Ｓ２でＦＲＯＭ６３に記録された初期データを用いて、プロジェクタ１の初期化処理を実行する（Ｓ７）。
点灯時温度取得部７３２は、温度センサ４の測定制御を行い、温度センサ４により検出された抵抗値データから点灯時温度Ｔ２を取得する（Ｓ８）。
【００５３】
次に、温度差判定部７３３は、処理Ｓ４（図４）でＦＲＯＭ６３に記録された消灯時温度Ｔ１を読み出す（Ｓ９）。そして、処理Ｓ８で取得された点灯時温度Ｔ２および消灯時温度Ｔ１の温度差ΔＴと、ＲＯＭ６４に記録されている点灯許可温度差ΔＴ０とを比較し、温度差ΔＴが点灯許可温度差ΔＴ０以上であるか否かを判定する（Ｓ１０）。温度差ΔＴが点灯許可温度差ΔＴ０以上であると判定された場合、温度差判定部７３３は、点灯許可の連絡信号を光源ランプ制御部７４に出力する。
光源ランプ制御部７４は、点灯許可の連絡信号を取得すると、ランプ駆動部３２にランプ点灯命令を出力する（Ｓ１１）。すると、ランプ駆動部３２は、ランプ点灯命令に応じて光源装置２１を駆動し、光源ランプ２１１を点灯させる。
【００５４】
一方、処理Ｓ１０において、温度差ΔＴが点灯許可温度差ΔＴ０未満であると判定された場合、温度差判定部７３３は、ランプ冷却の連絡信号をファン制御部７３４およびタイマ制御部７３５に出力する。
ファン制御部７３４は、ランプ冷却の連絡信号を取得すると、ファン５を駆動させて光源装置２１への送風を開始させる（Ｓ１２）。また、タイマ制御部７３５は、ランプ冷却の連絡信号を取得すると、タイマ７５に経過時間Ｌの計時を開始させる（Ｓ１３）。
【００５５】
経過時間判定部７３６は、タイマ７５が計時している経過時間Ｌを監視し、経過時間Ｌが冷却時間Ｌ０を経過したか否かを判定している（Ｓ１４）。経過時間Ｌが冷却時間Ｌ０を経過していない場合、経過時間判定部７３６は、経過時間Ｌの監視を続行する。
一方、経過時間Ｌが冷却時間Ｌ０を経過した場合、経過時間判定部７３６は、点灯許可の連絡信号を光源ランプ制御部７４に出力する。すると、光源ランプ制御部７４は、処理Ｓ１１に移行し、ランプ駆動部３２にランプ点灯命令を出力する。そして、ランプ駆動部３２が光源ランプ２１１を消灯させる。
【００５６】
前述したように、従来のプロジェクタは、光源ランプの点灯前に光源ランプ周辺温度を測定し、この光源ランプ周辺温度が閾値以下である場合、光源ランプ点灯を許可していた。しかしながら、光源ランプ周辺温度は、プロジェクタの使用環境に左右されるため、必ずしも光源ランプの温度変化を正確に示しているとは言えない。このため、光源ランプが十分に冷却されていても点灯が規制されたままとなり、光源ランプの点灯動作に速やかに移行できないでいた。
【００５７】
これに対し、本実施形態によれば、温度差判定部７３３が、消灯時温度Ｔ１と点灯時温度Ｔ２の温度差ΔＴが点灯許可温度差ΔＴ０以上であるか否かを判定し、点灯許可温度差ΔＴ０以上である場合に光源ランプ２１１の点灯が許可される。すなわち、本実施形態では、光源ランプ２１１が点灯可能か否かを、光源ランプ２１１周辺温度の温度変化量に応じて判断している。光源ランプ２１１周辺温度の温度変化量は、プロジェクタ１の使用環境によらず、光源ランプ２１１の温度変化を正確に把握することができるため、本実施形態のプロジェクタ１は、光源ランプ２１１の再点灯失敗の防止や、光源ランプ２１１の速やかな再点灯動作を可能とすることができる。さらに、光源ランプ２１１の再点灯失敗を防止できることから、光源ランプ２１１の劣化を抑制し、長寿命化を図ることができる。
【００５８】
また、消灯時温度Ｔ１は、プロジェクタ１の駆動終了時に測定・記憶しておくため、次回のプロジェクタ１起動時に光源ランプ２１１の周辺温度を二度測定する必要がない。従って、光源ランプ２１１の速やかに点灯動作を可能とすることができる。
また、本実施形態のプロジェクタ１は、従来のプロジェクタ１のように駆動終了時に光源ランプ２１１の冷却作業を行う必要がないため、駆動終了操作後すぐさま移動や片付けを行うことができる。
【００５９】
そして、消灯時温度Ｔ１および点灯時温度Ｔ２の温度差ΔＴが、点灯許可温度差ΔＴ０未満と判定されてから、光源ランプ２１１が十分に冷却されたと推測できる冷却時間Ｌ０経過後に、光源ランプ２１１点灯動作を行う。従って、光源ランプ２１１の再点灯失敗をより確実に防止することができる。
【００６０】
さらに、消灯時温度Ｔ１および点灯時温度Ｔ２の温度差ΔＴが、点灯許可温度差ΔＴ０未満と判定されると、ファン５により光源ランプ２１１の強制冷却が行われる。従って、光源ランプ２１１を早急にかつ十分に冷却させることができるため、光源ランプ２１１の再点灯動作をより速やかに実行でき、また、再点灯失敗をより確実に防止することができる。
【００６１】
＜第２実施形態＞
本発明の第２実施形態を、図６を参照して説明する。
本実施形態のプロジェクタ１は、前記第１実施形態のプロジェクタ１と比較して、制御部７の電源オン処理部７３を構成する経過時間判定部７３６の作用が異なる。なお、ＲＯＭ６４には、後述する待機時間ＬＷが予め記録されている。
【００６２】
図６は、本実施形態の制御部７による電源オフ処理を説明するためのフロー図である。
図６に示す本実施形態の処理Ｓ６〜処理Ｓ１３は、第１実施形態の処理Ｓ６〜処理Ｓ１３（図５）と同様であるため説明を省略する。
処理ＳＡ１４において、経過時間判定部７３６は、ＲＯＭ６４に記録されている待機時間ＬＷを読み出すとともに、タイマ７５により計時されている経過時間Ｌを監視し、経過時間Ｌが待機時間ＬＷを経過したか否かを判定している。経過時間Ｌが待機時間ＬＷを経過していない場合、経過時間判定部７３６は、経過時間Ｌの監視を続行する。
【００６３】
一方、経過時間Ｌが待機時間ＬＷを経過した場合、処理Ｓ８へ戻り、点灯時温度取得部７３２は、温度センサ４に再度抵抗値データを測定させて、新たな点灯時温度Ｔ２を取得する。そして、処理Ｓ１０において、温度差判定部７３３が、消灯時温度Ｔ１および新たな点灯時温度Ｔ２の温度差ΔＴと、点灯許可温度差ΔＴ０の比較を行う。
このように、本実施形態では、点灯許可温度差ΔＴ０以上の温度差ΔＴが取得されるまで、光源ランプ２１１の点灯が行われない。
【００６４】
本実施形態によれば、点灯時温度および消灯時温度の温度差ΔＴが点灯許可温度差ΔＴ０未満と判定されてから、所定の待機時間ＬＷ経過後、点灯時温度取得部７３２が再度点灯時温度Ｔ２を測定し、温度差判定部７３３が点灯時温度Ｔ２および消灯時温度Ｔ１の温度差ΔＴを点灯許可温度差ΔＴ０と比較する。すなわち、本発明のプロジェクタ１は、点灯時温度Ｔ２および消灯時温度Ｔ１の温度差ΔＴが点灯許可温度差ΔＴ０以上となってから光源ランプ２１１の点灯動作を行うため、再点灯失敗をより確実に防止することができる。また、待機時間ＬＷを比較的短時間に設定すると、点灯時温度Ｔ２および消灯時温度Ｔ１の温度差ΔＴの判定を細かく行うことができるため、光源ランプ２１１の速やかな再点灯動作を可能とすることができる。
【００６５】
〔前記実施形態の変形〕
本発明を実施するための最良の構成などは、以上の記載で開示されているが、本発明はこれに限定されるものではない。すなわち、前記実施形態は、本発明を限定するものではないから、それらの形状、材質などの限定の一部若しくは全部の限定を外した部材の名称での記載は、本発明に含まれるものである。
【００６６】
前記実施形態では、光変調装置として透過型の液晶パネル２５１を採用していたが、これに限らず、反射型の液晶パネルを採用してもよく、あるいは、ディジタル・マイクロミラー・デバイス（テキサス・インスツルメント社の商標）を採用してもよい。
また、前記実施形態では、３枚の液晶パネル２５１Ｒ，２５１Ｂ，２５１Ｇを用いた液晶３板式の投射型プロジェクタ１を採用したが、これに限定されるものではない。例えば、赤、青、緑のカラーフィルタが格子状に配置され１枚でフルカラーの光学像を形成することのできる単板の液晶パネルを用いた単板式のプロジェクタを採用してもよい。
また、電源オフ処理（図４）において、消灯時温度Ｔ１を測定・取得するタイミングは、光源ランプ２１１の消灯直前であってもよいし、消灯直後であってもよい。
【図面の簡単な説明】
【００６７】
【図１】本発明の第１実施形態に係るプロジェクタに設けられた光学ユニットの光学系を示す模式平面図。
【図２】前記実施形態に係るプロジェクタの内部構成を示すブロック図。
【図３】前記実施形態に係る制御部の機能的構成を示すブロック図。
【図４】前記実施形態に係る制御部による電源オフ処理を説明するためのフロー図。
【図５】前記実施形態に係る制御部による電源オン処理を説明するためのフロー図。
【図６】本発明の第２実施形態に係る制御部による電源オン処理を説明するためのフロー図。
【符号の説明】
【００６８】
１…プロジェクタ、２１１…光源ランプ、２５１，２５１Ｒ，２５１Ｇ，２５１Ｂ…液晶パネル（光変調装置）、２６…投射レンズ（投射光学装置）、４…温度センサ、５…ファン（冷却手段）、６３…ＦＲＯＭ（メモリ）、７１…入力信号取得部（電源オフ指示信号取得部、電源オン指示信号取得部）、７２２…消灯時温度取得部、７２３…消灯時温度書込部、７３２…点灯時温度取得部、７３３…温度差判定部、７３４…ファン制御部（冷却手段制御部）、７３５…タイマ制御部（計時手段制御部）、７３６…経過時間判定部、７４…光源ランプ制御部（光源ランプ消灯部、光源ランプ点灯部）、７５…タイマ（計時手段）、８…操作パネル（操作手段）、Ｌ…経過時間、Ｌ０…冷却時間、ＬＷ…待機時間、Ｔ１…消灯時温度、Ｔ２…点灯時温度、ΔＴ…温度差、ΔＴ０…点灯許可温度差。
【図１】
2007206574.tif 000003
【図２】
2007206574.tif 000004
【図３】
2007206574.tif 000005
【図４】
2007206574.tif 000006
【図５】
2007206574.tif 000007
【図６】
2007206574.tif 000008